(57)【要約】【課題】研磨面外周部の毛先部が弧状に固定変形して歯ブラシの不良化の原因となっている、該研磨面外周部の弧状に固定変形化した毛先部を有効利用した逆発想的手段による高度な研磨効果を奏し得ると共に、耐久性にも充分に優れた歯ブラシを提供することを目的とする。【解決の手段】多数の用毛を植毛した研磨面２を有する２つの頭部研磨部１、１を２列に並べた、該頭部研磨部１、１に直結される嵌合部４、４を有し、該嵌合部４、４と把持部５の該頭部研磨部１、１側に設けた嵌合部６、６間を、止着片８及び止着溝又は止着穴９を操作して着脱自在に装着せしめ得ると共に、該研磨面２、２間面の外周部の毛先部３、３、３…どうしがお互いに接触又は捩れ合う位に、該研磨面２、２間面の対面角度Ｒが設定されたことを特長とする、不良化の原因となっている研磨面外周部の毛先部の変形特性を有効利用した歯ブラシ又は電動式歯ブラシの研磨部。【選択図】図２−１
2004275683.tif 000002
【特許請求の範囲】
【請求項１】
図示の如く、多数の用毛を植毛した研磨面２を有する２つの頭部研磨部１、１を２列に並べた、該頭部研磨部１、１に直結される嵌合部４、４を有し、該嵌合部４、４と把持部５の該頭部研磨部１、１側に設けた嵌合部６、６間を、止着片８及び止着溝又は止着穴９を操作して着脱自在に装着せしめ得ると共に、該研磨面２、２間面の外周部の毛先部３、３、３…どうしがお互いに接触又は捩れ合う位に、該研磨面２、２間面の対面角度Ｒが設定されたことを特長とする不良化の原因となっている研磨面外周部の毛先部の変形特性を有効利用した歯ブラシ。
【請求項２】
図示の如く、多数の用毛を植毛した研磨面２を有する２つの頭部研磨部１、１を２列に並べた、該頭部研磨部１、１に直結される嵌合部１０、１０を有し、該嵌合部１０、１０と支軸１２の該頭部研磨部１、１側に設けた嵌合部１１、１１間を、止着片８及び止着溝又は止着穴９を操作して着脱自在に装着せしめ得ると共に、該研磨面２、２間面の外周部の毛先部３、３、３…どうしがお互いに接触又は捩れ合う位に、該研磨面２、２間面の対面角度Ｒを設定せしめ得る連結部１３を設けたことを特長とする不良化の原因となっている研磨面外周部の毛先部の変形特性を有効利用した電動式歯ブラシの研磨部。
【発明の詳細な説明】
【０００１】
【発明の属する技術分野】
歯を磨く歯ブラシに関する。
【０００２】
【従来の技術】
図１−１〜図１−３は、研磨面が不良化してしまった従来型歯ブラシの代表例を示したもので、使い始めてから比較的短時間のうちに、研磨面の外周部の毛先部が研磨面の中心部から研磨面外周部方向へ弧状に固定変形化して行くために、耐久性の面で、歯ブラシの寿命を著しく低下せしめ得る原因となっていた。
【０００３】
【発明が解決しようとする課題】
歯を自分の力で美しく磨きたいという目的を達成せしめ得るために、特殊な技術を要せずに簡単確実且短時間に、比較的リラックス気分で楽しく所期する効果を奏し得ることが出来、図１−１〜図１−３に示した、歯ブラシの不良化の原因となっている研磨面２の外周部の毛先部３、３、３…の固定変形特性を有効利用した逆発想的手段による高度な研磨効果を奏し得ると共に、耐久性にも充分に優れたものを提供することを目的とする。
【０００４】
【課題を解決するための手段と作用】
図２−１に示す様に、多数の用毛を植毛した研磨面２を有する２つの頭部研磨部１、１を２列に並べた、該頭部研磨部１、１に直結される首部１４、１４の他端部に設けた嵌合部４、４を有し、該嵌合部４、４と把持部５の該頭部研磨部１、１側に設けた嵌合部６、６間を、止着片８及び止着溝又は止着穴９を操作して着脱自在に装着せしめ得ると共に、図２−２又は図２−３に示す様に研磨面２、２間面の外周部の毛先部３、３、３…どうしがお互いに接触又は捩れ合う位に、該研磨面２、２間面の対面角度Ｒが設定され、この状態で使用した時は、図３に示した様に凹凸の多い歯２１上を幾度も擦り続けるために、使用中は該隣接する研磨面２、２間面の外周部の毛先部３、３、３…どうしが、お互いに押し合い、捩れ合い、絡み合いながらの相反発する弾性力等によって合成される強力な研磨効果、例えば曲がりくねりながら動き回る蛇頭の様に、該歯２１、２１…上を擦り続けている研磨面２、２間面の外周部の毛先部３、３、３…は、該歯２１、２１…の研磨面上のみならず、歯２１、２１…の側面或いは歯２１、２１…間の奥深い隙間部等迄、該研磨面２、２間面の外周部の毛先部３、３、３…が、お互いに押し合い、捩れ合い、絡み合い、曲がりくねりながら、勢い良く歯２１、２１…面及び歯茎２２面を垂直上に叩きつける様な優れた研磨効果、或いは上記研磨面２、２を２列に並べた該研磨面２、２間面に形成される間隙部７にそって形成される荒縄の様な研磨面部等、言葉では表現出来ない相乗効果を有していると共に、明細書図面図１−１〜図１−３に示した様に、多数の用毛を植毛した研磨面２の使用中は、該研磨面２の毛先部が、凹凸の多い複雑な形状をなす歯上を幾度となく前後左右斜め方向へと擦り続けているために、該連動する研磨面２の毛先部どうしが、お互いに押し合い捩れ合い相反発し合うといった複雑な動きによって発生する、該研磨面２の外周面部からほぼ研磨面２の中心部へ作用する反発力の差によって、研磨面２の外周部の毛先部３、３、３…が、該研磨面２の中心部から該研磨面２の外側放射状方向へほぼ弧状に固定変形化して行く研磨効果の減少を防止せしめ得るために、図４−１から図４−２に示した様に上記二つの頭部研磨部１、１を夫夫の嵌合部４、６間を、止着片８及び止着溝又は止着穴９を操作して差し換えることによって、該弧状に固定変形化した研磨面２、２間面の外周部の毛先部３、３、３…どうしが、お互いに起こし合い、押し合い、捩れ合い、絡み合いながらの相反発する弾性力等によって合成されるより強力な研磨効果を奏し得ることをことを特長とするもので、使用しているうちに研磨効果が低下してきた時は、再度上記二つの頭部研磨部１、１を夫夫の嵌合部４、６を介して差し換えることによって、上記弧状に固定変形化してしまって古い歯ブラシで撫でる程度でしか効果の無かった研磨面２、２間面の外周部の毛先部３、３、３…どうしが、お互いに起こし合う様に押し合い、ぶつかり合い、捩れ合い、絡み合いながらの相反発する複雑な弾性力等とによって合成されるより効果的な研磨効果が得られると共に、研磨面２、２間面の外周部の毛先部３、３、３…の形状が弧状に固定変形化していることにより、虫歯とか老人の歯のように歯並びが変形してしまっている様な、より複雑な歯形あるいは歯並びの側面、歯と歯の奥深い隙間部等まで該弧状に固定変形化された研磨面２、２間面の外周部の毛先部３、３、３…が、上記お互いに起し合う様に押し合い、ぶつかり合い、捩れ合い、絡み合いながらの相反発する複雑な弾性力等とによって、生き返った様に上下左右斜め方向へと、動き回る蛇頭の様に、曲がりくねった研磨面２、２間面の外周部の毛先部３、３、３…が、歯２１、２１…面或いは歯茎２２上を垂直状に叩きつける様な、あるいは該間隙部７にそって形成される荒縄の様な優れた研磨面部が、歯と歯の間を駆け抜ける様なあるいは脈打つ様な、より優れた研磨効果を有したことを特長とするもので、多数の用毛を植毛した研磨面２の不良化の原因ともなっていた、弧状に固定変形化された研磨面２の外周部の毛先部３、３、３…の固定変形特性を有効利用した逆発想的有用な発明である。
【０００５】
【発明の実施例１】
図２−１に示した様に、多数の用毛を植毛した研磨面２を有する２つの頭部研磨部１、１を２列に並べた、該頭部研磨部１、１に直結される首部１４、１４の他端部に設けた嵌合部４、４を有し、該嵌合部４、４と把持部５の該頭部研磨部１、１側に設けた嵌合部６、６間を、止着片８及び止着溝又は止着穴９を操作して着脱自在に装着せしめ得ると共に、図２−２又は図２−３に示す様に研磨面２、２間面の外周部の毛先部３、３、３…どうしがお互いに接触又は捩れ合う位に、該研磨面２、２間面の対面角度Ｒが設定されたことを特長とする実施例である。
【０００６】
【発明の実施例２】
図５に示した様に、多数の用毛を植毛した研磨面２を有する２つの頭部研磨部１、１を２列に並べた、該頭部研磨部１、１に直結される首部１４、１４の他端部に設けた嵌合部１０、１０を有し、該嵌合部１０、１０と支軸１２の該頭部研磨部１、１側に設けた嵌合部１１、１１間を、止着片８及び止着溝又は試着穴９を操作して着脱自在に装着せしめ得ると共に、該研磨面２、２間面の外周部の毛先部３、３、３…どうしがお互いに接触又は捩れ合う位に、該研磨面２、２間面の対面角度Ｒを設定せしめ得る連結部１３を設けたことを特長とする不良化の原因となっている研磨面外周部の毛先部の変形特性を有効利用した電動式歯ブラシの研磨部１５である。
【０００７】
【発明の実施例３】
図６は、本発明の実施例１に示した嵌合部４、４と、把持部５に設けた嵌合部６、６間を反対方向に設けても同一の効果を奏し得ることを示した変形例である。
【０００８】
【発明の実施例４】
図７は、頭部研磨部１、１に直結される八角柱形式の嵌合部１６、１６と、連結部１３の該頭部研磨部１、１側に設けた八角柱形式の嵌合部１６、１６を嵌合せしめ得る八角穴型嵌合部１７、１７間を、止着片８及び止着溝又は止着穴９を操作して着脱自在に装着せしめ得ると共に、研磨面２、２間面の対面角度Ｒを４５度ずつ該嵌合部１６、１７を介して自由に設定せしめ得る形式の電動式歯ブラシの研磨部１５の他の実施例である。
【０００９】
【発明の実施例５】
図８は、発明の実施例４に示した八角柱形式の嵌合部１６を歯車形式の嵌合部１８、八角穴型嵌合部１７を歯車穴型嵌合部１９に変形せしめて、研磨面２、２間面の対面角度Ｒを着脱自在に微調整設定せしめ得ることを特長とする電動式歯ブラシの研磨部１５の実施例である。
【００１０】
【発明の実施例６】
図９は、従来から実施実用化されている着脱自在に装着可能な嵌合部の技術を利用した従来型嵌合部２０を利用したもので、各種任意に変形利用してその有用性をより増大せしめ得ることを示した他の実施例である。
【００１１】
【発明の効果】
本発明は上記の如く、研磨面２、２を２列に並べて単に研磨面積を倍化させただけではなく、不良化の原因となっている研磨面外周部の毛先部の変形特性を有効利用せしめ得ると共に、研磨面２、２を有する二つの頭部研磨部１、１を夫夫の嵌合部４、６を介して差し換えることによって、該研磨面２、２の研磨効果の減少を防止せしめ得たことを特長とした歯ブラシにかかるもので、以下本発明の効果を列記する。
（１）研磨面２、２間面の外周部の毛先部３、３、３…どうしがお互いに接触又は捩れ合う位に研磨面２、２間面の対面角度Ｒが設定されているので、使用中は凹凸の多い歯２１、２１…上を幾度も擦り続けているために、該隣接する研磨面２、２間面の外周部の毛先部３、３、３…どうしがお互いに押し合い、戻し合い、捩れ合い、絡み合いながらの相反発する弾性力等によって合成される強力な研磨効果、例えば、まがりくねりながら動き回る蛇頭の様に該歯２１、２１…上を擦り続けている研磨面２、２間面の外周部の毛先部３、３、３…は、歯２１、２１…あるいは歯茎２２面上のみならず歯２１、２１…の側面あるいは歯２１、２１…間の奥深い隙間部あるいは歯２１、２１…と歯茎２２間の奥深い間隙部迄、勢い良く研磨面上を垂直に叩きつける様な優れた研磨効果、あるいは間隙部７にそって形成される荒縄の様な優れた研磨面部が、歯２１、２１…間を駆け抜ける様なあるいは脈打つ様な優れた研磨効果を有している等、言葉では表現出来得ない相乗効果を有している。
（２）研磨面２、２を２列に並べた該研磨面２、２間部に形成される間隙部７を設けたことによっつて、該研磨面２、２が２本の足ですべり動くバランス感覚の良いスキーの様な研磨効果を得ることが出来るために、使用中、頭部研磨部１、１を歯２１、２１…あるいは歯茎２２にぶつけるような形で歯２１、２１…あるいは歯茎２２を傷める事も無く、使用中口内の上下水平斜め方向等への往復運動あるいは回転逆回転等スムーズな研磨が容易となるために、研磨中より強い力、より早いスピード研磨による研磨時間の短縮化が計れ、比較的リラックス気分で楽しくその有用性を増大せしめ得る。
更には、上記取り扱いが簡単且便利であるという観点から、特に体が不自由なご老人あるいは身体障害者の方達、あるいは歯を自分で磨けない方達の歯を第三者が磨いたりする場合も、本発明は、単に研磨面積が広いという理由だけにとどまらず、口内で研磨面２、２を歯面上に擦り続けているだけで、間隙部７内に弧状に固定変形化された研磨面２、２間部外周部の毛先部３、３、３…効果によって、あるいは該間隙部７部にそって形成される研磨効果を、把持部５に受ける振動あるいは振動音によっても感知し得る等、言葉では表現出来えない優れた研磨効果をより増大せしめ得るものである。
（３）図４−１に示した様に、先端部が弧状に固定変形化してしまって古い歯ブラシで撫でる程度でしか研磨効果が減少した研磨面部が多くなった頭部研磨部１、１を、夫夫の嵌合部４、６を止着片８及び止着溝又は止着穴９を操作して図４−２に示した様に差し替えることによって、研磨面２、２間面の外周部の毛先部３、３、３…どうしが、お互いに起し合う様に押し合い、ぶつかり合い、捩れ合い、絡み合っているために、この状態で使用した時は凹凸の多い歯２１、２１…上を幾度も擦り続けるために、該研磨面２、２間面の外周部の毛先部３、３、３…が生き返った様にお互いに起し合い、押し合い、ぶつかり合い、捩れ合い、絡み合いながらの相反発する複雑な弾性力等とによって合成されるより効果的な研磨効果が得られると共に、使用中に研磨効果が低下してくる度に、繰り返して上記頭部研磨部１、１を夫夫の嵌合部４、６を止着片８及び止着溝又は止着穴９を操作して差し換えることによって、研磨効果の再生ともいえる研磨効果の減少を防止せしめ得ることを特長とするもので、治療後の虫歯跡あるいは老人の歯の様に歯並びが変形してしまっている様な、より複雑な歯形あるいは歯並びの側面、歯と歯の奥深い隙間部まで、上記お互いに起しあい、押し合い、ぶつかり合い、捩れ合い、絡み合いながらの相反発する複雑な弾性力等とが合成されて、生き返った様に上下左右斜め方向へと動く蛇頭の様な曲がりくねった研磨面２、２間面の外周部の毛先部３、３、３…が、歯２１、２１…面あるいは歯茎２２上を垂直方向に叩きつける様な、あるいは該間隙部７部にそって形成される荒縄の様な優れた研磨面部が、歯２１、２１…間を駆け抜ける様なあるいは脈打つ様な、より優れた研磨効果を有している。
（４）本発明は上記の様に、歯ブラシの不良化の原因となっていた弧状に固定変形化された研磨面２、２の外周部の毛先部３、３、３…を有効利用し得る形式であるために、特に耐久性という面に重要な効果を奏し得るもので、耐久性を必要とする電動式ハブラシあるいは歯ブラシに限らず耐久性に優れているという点で、木工金属類の研磨等にも変形利用し得ると共に、頭部研磨面部１、１を夫夫の嵌合部４、６を止着片８及び止着溝又は止着穴９を操作して着脱自在に交換せしめ得てより高度な研磨効果を計れ、簡単且便利に価格も比較的低廉に奏し得る有用な発明である。
【図面の簡単な説明】
【図１−１】従来型歯ブラシの１部破断頭部研磨部の左側面図
【図１−２】図１−１従来型歯ブラシの上面図
【図１−３】図１−１従来型歯ブラシの１部破断頭部研磨部の背面図
【図２−１】本発明の実施例を示す分解斜視図
【図２−２】本発明の実施例を示す略式上面図
【図２−３】本発明の実施例を示す略式上面図
【図３】本発明の使用状態を示す略式上面図
【図４−１】本発明の略式上面図
【図４−２】本発明の略式上面図
【図５】本発明電動式歯ブラシの分解略式斜視図
【図６】本発明の他の実施例を示す分解斜面図
【図７】本発明電動式歯ブラシの研磨部の他の実施例を示す分解斜視図
【図８】本発明電動式歯ブラシの研磨部の他の実施例を示す分解斜面図
【図９】本発明の他の実施例を示す１部分解斜視図
【符号の説明】
１  頭部研磨部
２  研磨面
３  外周部の毛先部
４  嵌合部
５  把持部
６  嵌合部
７  間隙部
８  止着片
９  止着溝又は止着穴
１０  嵌合部
１１  嵌合部
１２  支軸
１３  連結部
１４  首部
１５  電動式歯ブラシの研磨部
１６  八角柱形式の嵌合部
１７  八角穴型嵌合部
１８  歯車形式の嵌合部
１９  歯車穴型嵌合部
２０  従来型嵌合部
２１  歯
２２  歯茎
Ｒ  対面角度
【図１−１】
2004275683.tif 000003
【図１−２】
2004275683.tif 000004
【図１−３】
2004275683.tif 000005
【図２−１】
2004275683.tif 000006
【図２−２】
2004275683.tif 000007
【図２−３】
2004275683.tif 000008
【図３】
2004275683.tif 000009
【図４−１】
2004275683.tif 000010
【図４−２】
2004275683.tif 000011
【図５】
2004275683.tif 000012
【図６】
2004275683.tif 000013
【図７】
2004275683.tif 000014
【図８】
2004275683.tif 000015
【図９】
2004275683.tif 000016